(57)【特許請求の範囲】
【請求項１】
原稿に形成された画像を読み取る画像読取装置であって、
スキャナーと、
前記スキャナーを介して、複数枚の原稿に形成された画像を読み取る画像読取部と、
前記複数枚の原稿のうち、１ページ目のみの原稿の用紙サイズを検出するサイズ検出部と、
前記複数枚の原稿の用紙サイズを、それぞれ、設定する原稿サイズ設定部と、
少なくとも１ページ分の画像データを格納するページメモリーと
を備え、
前記原稿サイズ設定部は、前記複数枚の原稿のうち、２ページ目以降の原稿の用紙サイズを、前記サイズ検出部によって検出された１ページ目の原稿の用紙サイズと同一の用紙サイズに設定し、
前記画像読取部は、前記原稿サイズ設定部によって設定された原稿の用紙サイズに基づき、前記複数枚の原稿のうち、２ページ目以降の原稿に形成された画像を読み取り、
前記サイズ検出部は、前記複数枚の原稿のうち、１ページ目に限って、前記画像読取部によって読み取られたページ全体の画像データを前記ページメモリーに書き込み、前記ページメモリーに書き込まれたページ全体の画像データに基づき、副走査方向の長さを検出し、前記副走査方向の長さに基づき、１ページ目の原稿の用紙サイズを検出し、
前記画像読取部によって読み取られた画像データに対して、画像処理を施す画像処理部と、
前記画像読取部から画像データを読み取る読込用ＡＳＩＣと、
画像データに符号化処理を施すコーデック用ＡＳＩＣと、
画像データに復号化処理を施すデコーデック用ＡＳＩＣと、
画像データに画像処理を施す画像処理用ＡＳＩＣと、
２バンド分の画像データを記憶するワークメモリーと
を更に備え、
前記ページメモリーは、第１ページメモリーと、前記第１ページメモリーと相違する第２ページメモリーとを有し、
前記ワークメモリーは、互いに相違する第１ワークメモリー、第２ワークメモリー、及び第３ワークメモリーを有し、
前記画像読取部は、前記読込用ＡＳＩＣを介して、１ページ目の原稿の画像データを読み込んで、前記第１ワークメモリーに書き込み、前記コーデック用ＡＳＩＣを介して、前記第１ページメモリーに書き込み、
前記サイズ検出部は、前記第１ページメモリーに書き込まれた前記画像データに基づき、前記１ページ目の原稿の用紙サイズを検出し、
前記画像処理部は、前記デコーデック用ＡＳＩＣを介して、前記第１ページメモリーから前記画像データを読み出して、前記第２ワークメモリーに書き込み、
前記画像処理部は、前記画像処理用ＡＳＩＣを介して、前記第２ワークメモリーから前記画像データを読み出して、画像処理を施した後、前記画像データを前記第３ワークメモリーに書き込み、
前記画像処理部は、前記コーデック用ＡＳＩＣを介して、前記第３ワークメモリーから前記画像データを読み出して、前記第２ページメモリーに書き込み、
前記画像読取部は、前記読込用ＡＳＩＣを介して、２ページ目以降の原稿の画像データを読み込んで、第１ワークメモリーに書き込み、
前記画像処理部は、前記画像処理用ＡＳＩＣを介して、前記第１ワークメモリーから前記画像データを読み出して、画像処理を施した後、前記画像データを前記第３ワークメモリーに書き込み、
前記画像処理部は、前記コーデック用ＡＳＩＣを介して、前記第３ワークメモリーから前記画像データを読み出して、前記第２ページメモリーに書き込む、画像読取装置。
【請求項２】
外部からの操作入力を受け付ける操作受付部を備え、
前記操作受付部は、前記複数枚の原稿のうち、２ページ目以降の原稿の用紙サイズを、前記サイズ検出部によって検出された１ページ目の原稿の用紙サイズに設定するか否かの選択入力を受け付け、
前記原稿サイズ設定部は、前記選択入力が１ページ目の原稿の用紙サイズに設定する旨の入力である場合に限って、前記複数枚の原稿のうち、２ページ目以降の原稿の用紙サイズを、前記サイズ検出部によって検出された１ページ目の原稿の用紙サイズと同一の用紙サイズに設定する、請求項１に記載の画像読取装置。
【請求項３】
外部からの操作入力を受け付ける操作受付部を備え、
前記操作受付部は、前記複数枚の原稿の用紙サイズの候補である候補サイズを設定する設定入力を受け付け、
前記サイズ検出部は、前記操作受付部によって受け付けられた前記候補サイズに基づき、原稿の用紙サイズを検出する、請求項１に記載の画像読取装置。
【請求項４】
前記操作受付部は、前記候補サイズとして、幅及び長さが互いに近似する複数の用紙サイズから１つの前記候補サイズを受け付ける、請求項３に記載の画像読取装置。
【請求項５】
前記候補サイズは、各国の規格に準拠する各用紙サイズである、請求項３又は請求項４に記載の画像読取装置。
【請求項６】
スキャナーを介して原稿に形成された画像を読み取る画像読取装置の画像読取方法であって、
前記スキャナーを介して、複数枚の原稿に形成された画像を読み取る画像読取工程と、
前記複数枚の原稿のうち、１ページ目の原稿の用紙サイズを検出するサイズ検出工程と、
前記複数枚の原稿の用紙サイズを、それぞれ、設定する原稿サイズ設定工程と
前記画像読取工程において読み取られた画像データに対して、画像処理を施す画像処理工程と
を含み、
前記原稿サイズ設定工程において、前記複数枚の原稿のうち、２ページ目以降の原稿の用紙サイズを、前記サイズ検出工程において検出された１ページ目の原稿の用紙サイズと同一の用紙サイズに設定し、
前記画像読取工程において、前記原稿サイズ設定工程において設定された原稿の用紙サイズに基づき、前記複数枚の原稿のうち、２ページ目以降の原稿に形成された画像を読み取り、
前記画像読取装置は、少なくとも１ページ分の画像データを格納するページメモリーを備え、
前記サイズ検出工程において、前記複数枚の原稿のうち、１ページ目に限って、前記画像読取工程において読み取られたページ全体の画像データを前記ページメモリーに書き込み、前記ページメモリーに書き込まれたページ全体の画像データに基づき、副走査方向の長さを検出し、前記副走査方向の長さに基づき、１ページ目の原稿の用紙サイズを検出し、
前記画像読取装置は、
前記スキャナーから画像データを読み取る読込用ＡＳＩＣと、
画像データに符号化処理を施すコーデック用ＡＳＩＣと、
画像データに復号化処理を施すデコーデック用ＡＳＩＣと、
画像データに画像処理を施す画像処理用ＡＳＩＣと、
２バンド分の画像データを記憶するワークメモリーと
を更に備え、
前記ページメモリーは、第１ページメモリーと、前記第１ページメモリーと相違する第２ページメモリーとを有し、
前記ワークメモリーは、互いに相違する第１ワークメモリー、第２ワークメモリー、及び第３ワークメモリーを有し、
前記画像読取工程において、前記読込用ＡＳＩＣを介して、１ページ目の原稿の画像データを読み込んで、前記第１ワークメモリーに書き込み、前記コーデック用ＡＳＩＣを介して、前記第１ページメモリーに書き込み、
前記サイズ検出工程において、前記第１ページメモリーに書き込まれた前記画像データに基づき、前記１ページ目の原稿の用紙サイズを検出し、
前記画像処理工程において、前記デコーデック用ＡＳＩＣを介して、前記第１ページメモリーから前記画像データを読み出して、前記第２ワークメモリーに書き込み、
前記画像処理工程において、前記画像処理用ＡＳＩＣを介して、前記第２ワークメモリーから前記画像データを読み出して、画像処理を施した後、前記画像データを前記第３ワークメモリーに書き込み、
前記画像処理工程において、前記コーデック用ＡＳＩＣを介して、前記第３ワークメモリーから前記画像データを読み出して、前記第２ページメモリーに書き込み、
前記画像読取工程において、前記読込用ＡＳＩＣを介して、２ページ目以降の原稿の画像データを読み込んで、第１ワークメモリーに書き込み、
前記画像処理工程において、前記画像処理用ＡＳＩＣを介して、前記第１ワークメモリーから前記画像データを読み出して、画像処理を施した後、前記画像データを前記第３ワークメモリーに書き込み、
前記画像処理工程において、前記コーデック用ＡＳＩＣを介して、前記第３ワークメモリーから前記画像データを読み出して、前記第２ページメモリーに書き込む、画像読取方法。
【発明の詳細な説明】
【技術分野】
【０００１】
本発明は、画像読取装置、及び、画像読取方法に関する。
【背景技術】
【０００２】
従来、原稿に形成された画像を読み取る画像読取装置が知られている。また、画像読取装置において、原稿のサイズを検出する種々の技術が知られている。
【０００３】
例えば、２ページ目以降の原稿のサイズを１ページ目の原稿のサイズと比較する複写機が開示されている（特許文献１参照）。この複写機では、２ページ目以降の原稿のサイズが１ページ目の原稿のサイズと一致しない場合には、メッセージを表示して、ユーザーからの操作入力を受け付ける。そして、ユーザーからの操作入力に基づいて、１ページ目の原稿のサイズと同じサイズであるとして処理を継続するか、又は、処理を中止する。
【０００４】
特許文献１には、原稿とサイズの異なるミスコピーが発生することを未然に防止できると記載されている。
【先行技術文献】
【特許文献】
【０００５】
【特許文献１】特開２００１−３４３７９２号公報
【発明の概要】
【発明が解決しようとする課題】
【０００６】
しかしながら、特許文献１に記載の複写機では、２ページ目以降の原稿のサイズが１ページ目の原稿のサイズと一致している場合であっても、２ページ目以降の原稿のサイズを検出するため、画像を読み取る処理の速度を向上する余地があった。
【０００７】
本発明は、上記課題に鑑みてなされたものであり、画像を読み取る処理の速度を向上することの可能な画像読取装置、及び、画像読取方法を提供することを目的としている。
【課題を解決するための手段】
【０００８】
本発明の画像読取装置は、原稿に形成された画像を読み取る画像読取装置であって、スキャナー、画像読取部、サイズ検出部、及び、原稿サイズ設定部を備える。前記画像読取部は、前記スキャナーを介して、複数枚の原稿に形成された画像を読み取る。前記サイズ検出部は、前記複数枚の原稿のうち、１ページ目の原稿の用紙サイズを検出する。前記原稿サイズ設定部は、前記複数枚の原稿のうち、２ページ目以降の原稿の用紙サイズを、前記サイズ検出部によって検出された１ページ目の原稿の用紙サイズと同一の用紙サイズに設定する。前記画像読取部は、前記原稿サイズ設定部によって設定された原稿の用紙サイズに基づき、前記複数枚の原稿のうち、２ページ目以降の原稿に形成された画像を読み取る。
【発明の効果】
【０００９】
本発明の画像読取装置、及び、画像読取方法によれば、画像を読み取る処理の速度を向上することができる。
【図面の簡単な説明】
【００１０】
【図１】画像読取ユニット及び原稿搬送ユニットを有する画像読取装置の構成を示す図である。
【図２】制御部の機能的な構成を示す図である。
【図３】図２に示す制御部の動作を示すフローチャートである。
【図４】図２に示す制御部の１ページ目の原稿に対する動作を示す図である。
【図５】図２に示す制御部の２ページ目以降の原稿に対する動作を示す図である。
【発明を実施するための形態】
【００１１】
以下、本発明の実施形態について、図面（図１〜図５）を参照しながら説明する。なお、図中、同一又は相当部分については同一の参照符号を付して説明を繰り返さない。
【００１２】
図１を参照して、画像読取ユニット２、及び、原稿搬送ユニット３について説明する。図１は、画像読取ユニット２及び原稿搬送ユニット３を有する画像読取装置１００の構成を示す図である。ここで、画像読取装置１００は、複写機、複合機、スキャナー等をいう。
【００１３】
図１に示すように、画像読取ユニット２は、コンタクトガラス２１０、光源２２、第１ミラー２３１、第２ミラー２３２、第３ミラー２３３、第１キャリッジ２６、第２キャリッジ２７、結像レンズ２８、及び、ＣＣＤ（Ｃｈａｒｇｅ  Ｃｏｕｐｌｅｄ  Ｄｅｖｉｃｅ）２９を備えている。
【００１４】
また、原稿搬送ユニット３は、原稿トレイ３１、ピックアップローラー３２、分離ローラー対３３、搬送ローラー対３４、レジストローラー対３５、読取ガイド３６、搬送ローラー対３７、排出ローラー対３８、及び、原稿排出トレイ３９を備え、ＡＤＦ（Ａｕｔｏ  Ｄｏｃｕｍｅｎｔ  Ｆｅｅｄｅｒ）を構成している。
【００１５】
原稿搬送ユニット３は、読み取り対象の原稿Ｒを原稿トレイ３１、ピックアップローラー３２、分離ローラー対３３、搬送ローラー対３４、レジストローラー対３５を通って、原稿自動読取用ガラス２１１に搬送する。そして、３７を通って、原稿排出トレイ３９に排出される。
【００１６】
読取ガイド３６は、原稿Ｒの搬送方向についてレジストローラー対３５よりも下流側であって、画像読取ユニット２のコンタクトガラス２１０に対向するように配置されている。
【００１７】
以下の説明では、「ＡＤＦ読取モード」で原稿搬送ユニット３によって搬送された原稿Ｒ上の画像が画像読取ユニット２によって読み取られる場合について説明する。なお、「ＡＤＦ読取モード」では、原稿搬送ユニット３によって搬送された原稿Ｒが、原稿自動読取用ガラス２１１と読取ガイド３６との隙間部である第１読取位置２１１ａを通過するとき、光源２２が原稿自動読取用ガラス２１１を介して原稿Ｒに光を照射する。そして、原稿Ｒからの反射光が第１ミラー２３１、第２ミラー２３２、第３ミラー２３３の順に反射して、結像レンズ２８に入射し、結像レンズ２８に入射した光がＣＣＤ２９の受光面で光電変換によって結像されて画像信号として出力される。１ライン分の読み取りが終了すると、原稿Ｒが原稿搬送ユニット３によって搬送され、次のラインの読み取りが行われる。
【００１８】
次に、図２を参照して、制御部５の機能的な構成について説明する。制御部５は、ＣＰＵ（Ｃｅｎｔｒａｌ  Ｐｒｏｃｅｓｓｉｎｇ  Ｕｎｉｔ）を備える。記憶部６は、ワークメモリー６１、及び、ページメモリー６２を備える。制御部５は、図１に示す画像読取装置１００の適所に配置されている。
【００１９】
本実施形態では、ワークメモリー６１は、２バンド分の画像データを記憶する。なお、１バンドは、１２８ラインである。本実施形態では、ページメモリー６２は、１ページ分が画像データを記憶する。
【００２０】
制御部５は、画像読取部５１、サイズ検出部５２、原稿サイズ設定部５３、画像処理部５４、及び、操作受付部５５を備える。制御部５において、ＣＰＵが、画像読取部５１、サイズ検出部５２、原稿サイズ設定部５３、画像処理部５４、及び、操作受付部５５として機能する。
【００２１】
操作受付部５５は、操作パネル４を介して、ユーザーからの操作入力を受け付ける。具体的には、操作受付部５５は、複数枚の原稿Ｒのうち、２ページ目以降の原稿Ｒの用紙サイズＰＳＮを、サイズ検出部５２によって検出された１ページ目の原稿Ｒの用紙サイズＰＳ１に設定するか否かの選択入力を受け付ける。なお、操作受付部５５によって、２ページ目以降の原稿Ｒの用紙サイズＰＳＮを１ページ目の原稿Ｒの用紙サイズＰＳ１に設定するとの操作入力が受け付けられた場合に、サイズ検出部５２、及び、原稿サイズ設定部５３は、以下に説明する動作を実行する。
【００２２】
また、操作受付部５５は、複数枚の原稿Ｒの用紙サイズＰＳの候補である候補サイズＰＳＡを設定する設定入力を受け付ける。具体的には、操作受付部５５は、候補サイズＰＳＡとして、幅（短辺）及び長さ（長辺）が互いに近似する複数の用紙サイズＰＳから１つの候補サイズＰＳＡを受け付ける。
【００２３】
例えば、用紙が「フォリオ（Ｆｏｌｉｏ）」である場合には、用紙サイズは、短辺が２１０ｍｍであり、長辺が３３０ｍｍである。また、用紙がＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）に準拠した「Ｂ４」である場合には、短辺が２５０ｍｍであり、長辺が３５３ｍｍである。更に、ＪＩＳ（Ｊａｐａｎｅｓｅ  Ｉｎｄｕｓｔｒｉａｌ  Ｓｔａｎｄａｒｄｓ）に準拠した「Ｂ４」である場合には、短辺が２５７ｍｍであり、長辺が３５４ｍｍである。よって、「フォリオ（Ｆｏｌｉｏ）」、ＩＳＯに準拠の「Ｂ４」、及び、ＪＩＳ準拠の「Ｂ４」は、幅及び長さが互いに近似する用紙サイズである。
【００２４】
この例においては、操作受付部５５は、「フォリオ（Ｆｏｌｉｏ）」、ＩＳＯに準拠の「Ｂ４」、及び、ＪＩＳ準拠の「Ｂ４」の中から、１つの候補サイズＰＳＡ（例えば、ＪＩＳ準拠の「Ｂ４」）を受け付ける。
【００２５】
画像読取部５１は、画像読取ユニット２を介して、複数枚の原稿Ｒに形成された画像を読み取る。具体的には、画像読取部５１は、サイズ検出部５２によって検出された１ページ目の原稿Ｒの用紙サイズＰＳ１に基づき、複数枚の原稿Ｒのうち、１枚目の原稿Ｒに形成された画像を読み取る。また、原稿サイズ設定部５３によって設定された原稿Ｒの用紙サイズＰＳＮに基づき、複数枚の原稿Ｒのうち、２ページ目以降の原稿Ｒに形成された画像を読み取る。
【００２６】
サイズ検出部５２は、複数枚の原稿Ｒのうち、１ページ目のみの原稿Ｒの用紙サイズＰＳ１を検出する。具体的には、サイズ検出部５２は、画像読取部５１によって読み取られた１ページ目の原稿Ｒに形成された画像の副走査方向（図１の左右方向）の長さに基づき、１ページ目の原稿Ｒの用紙サイズＰＳ１を検出する。
【００２７】
更に具体的には、サイズ検出部５２は、複数枚の原稿Ｒのうち、１ページ目に限って、画像読取部５１によって読み取られたページ全体の画像データをページメモリー６２に書き込み、ページメモリー６２に書き込まれたページ全体の画像データに基づき、副走査方向の長さを検出する。
【００２８】
更に、サイズ検出部５２は、操作受付部５５によって受け付けられた候補サイズＰＳＡに基づき、原稿Ｒの用紙サイズＰＳＮを検出する。例えば、画像読取装置１００が日本国内において使用される場合には、候補サイズＰＳＡとして、ＪＩＳ準拠の各用紙サイズを候補サイズＰＳＡに設定しておくことが好ましい。日本国内では、通常、ＪＩＳ準拠の各用紙サイズが使用されるからである。
【００２９】
原稿サイズ設定部５３は、複数枚の原稿Ｒのうち、２ページ目以降の原稿Ｒの用紙サイズＰＳＮを、サイズ検出部５２によって検出された１ページ目の原稿Ｒの用紙サイズＰＳ１と同一の用紙サイズに設定する。
【００３０】
また、原稿サイズ設定部５３は、操作受付部５５によって受け付けられた選択入力が１ページ目の原稿Ｒの用紙サイズに設定する旨の入力である場合に限って、以下の処理を行う。すなわち、原稿サイズ設定部５３は、複数枚の原稿Ｒのうち、２ページ目以降の原稿Ｒの用紙サイズＰＳ２を、サイズ検出部５２によって検出された１ページ目の原稿Ｒの用紙サイズＰＳ１と同一の用紙サイズに設定する。
【００３１】
画像処理部５４は、画像読取部５１によって読み取られた画像に対して、画像処理を施す。画像処理は、カラーモノクロ変換処理、フィルター処理、クリッピング処理、及び、位置合わせ処理の少なくとも１つを含む。例えば、画像処理は、フィルター処理である。
【００３２】
上述のように、２ページ目以降の原稿Ｒの用紙サイズＰＳＮが、サイズ検出部５２によって検出された１ページ目の原稿Ｒの用紙サイズＰＳ１と同一の用紙サイズに設定されるため、２ページ目以降の原稿の用紙サイズＰＳＮを検出する必要がない。したがって、２ページ目以降の原稿Ｒの画像を読み取る処理の速度を向上することができる。
【００３３】
また、画像読取部５１によって読み取られた１ページ目の原稿に形成された画像の副走査方向（図１の左右方向）の長さに基づき、１ページ目の原稿Ｒの用紙サイズＰＳ１が検出されるため、簡素な構成で用紙サイズＰＳ１を検出することができる。
【００３４】
本実施形態では、サイズ検出部５２が副走査方向の長さに基づき１ページ目の原稿Ｒの用紙サイズＰＳ１を検出する場合について説明したが、サイズ検出部５２がその他の方法で１ページ目の原稿Ｒの用紙サイズＰＳ１を検出する形態でもよい。例えば、サイズ検出部５２が主走査方向の長さに基づき１ページ目の原稿Ｒの用紙サイズＰＳ１を検出する形態でもよい。また、サイズ検出部５２が主走査方向の長さ、及び、副走査方向の長さに基づき１ページ目の原稿Ｒの用紙サイズＰＳ１を検出する形態でもよい。この場合には、１ページ目の原稿Ｒの用紙サイズＰＳ１を正確に検出することができる。
【００３５】
更に、サイズ検出部５２は、複数枚の原稿Ｒのうち、１ページ目に限って、画像読取部５１によって読み取られたページ全体の画像データをページメモリー６２に書き込む。換言すれば、サイズ検出部５２は、用紙サイズＰＳＮを検出する目的で、２ページ目以降のページ全体の画像データをページメモリー６２に書き込むことはない。したがって、ページメモリー６２を他の用途に使用することができる。
【００３６】
また、サイズ検出部５２は、操作受付部５５によって受け付けられた候補サイズＰＳＡに基づき、原稿Ｒの用紙サイズＰＳＮを検出するため、簡素な構成で正確に原稿Ｒの用紙サイズＰＳＮを検出することができる。ユーザーが設定した候補サイズＰＳＡ以外の用紙サイズＰＳの原稿は、原稿トレイ３１（図２参照）にセットされないと想定されるからである。
【００３７】
また、幅及び長さが互いに近似する複数の用紙サイズＰＳから１つの候補サイズＰＳＡが設定されるため、サイズ検出部５２が、簡素な構成で更に正確に原稿Ｒの用紙サイズＰＳＮを検出することができる。サイズ検出部５２が、近似する複数の用紙サイズＰＳの中から１つの用紙サイズＰＳを検出する必要がないからである。
【００３８】
また、原稿サイズ設定部５３は、操作受付部５５によって受け付けられた選択入力が１ページ目の原稿Ｒの用紙サイズに設定する旨の入力である場合に限って、２ページ目以降の原稿Ｒの用紙サイズＰＳ２を、１ページ目の原稿Ｒの用紙サイズＰＳ１と同一の用紙サイズに設定する。よって、２ページ目以降の原稿Ｒの用紙サイズＰＳ２を、１ページ目の原稿Ｒの用紙サイズＰＳ１と同一の用紙サイズに設定するか否かをユーザーが選択することができる。したがって、ユーザーの利便性を向上することができる。
【００３９】
次に、図３を参照して、制御部５の動作について説明する。なお、図３では、予め、操作受付部５５によって、種々の設定が行われている場合について説明する。具体的には、操作受付部５５によって、２ページ目以降の原稿Ｒの用紙サイズＰＳＮを１ページ目の原稿Ｒの用紙サイズＰＳ１に設定するとの操作入力、及び、複数枚の原稿Ｒの用紙サイズＰＳの候補である候補サイズＰＳＡを設定する設定入力が、予め受け付けられている。
【００４０】
まず、ユーザーによって、複数枚の原稿Ｒが原稿トレイ３１にセットされる（ステップＳ１０１）。次いで、サイズ検出部５２によって、原稿Ｒが１ページ目であるか否かの判定が行われる（ステップＳ１０３）。１ページ目の原稿Ｒではない（２ページ目以降の原稿Ｒである）と判定された場合（ステップＳ１０３でＮＯ）には、処理がステップＳ１０９に進められる。
【００４１】
１ページ目の原稿Ｒであると判定された場合（ステップＳ１０３でＹＥＳ）には、処理がステップＳ１０５に進められる。そして、画像読取部５１によって、原稿Ｒに形成された画像が読み取られる（ステップＳ１０５）。次に、サイズ検出部５２によって、原稿Ｒの用紙サイズが検出される（ステップＳ１０７）。そして、画像処理部５４によって、ステップＳ１０５で読み取られた画像に対して、画像処理が施され（ステップＳ１１３）、処理が終了される。
【００４２】
ステップＳ１０３でＮＯの場合（２ページ目以降の原稿Ｒである場合）には、原稿サイズ設定部５３によって、原稿サイズが１ページ目の原稿Ｒの用紙サイズＰＳ１と同一の用紙サイズに設定される（ステップＳ１０９）。そして、画像読取部５１によって、原稿Ｒに形成された画像が読み取られる（ステップＳ１１１）。次いで、画像処理部５４によって、ステップＳ１０９で読み取られた画像に対して、画像処理が施され（ステップＳ１１３）、処理が終了される。
【００４３】
このようにして、２ページ目以降の原稿Ｒに対しては、用紙サイズの検出処理が行われないため、２ページ目以降の原稿Ｒの画像を読み取る処理の速度を向上することができる。
【００４４】
ステップＳ１０５及びステップＳ１１１が「画像読取工程」に相当し、ステップＳ１０７が「サイズ検出工程」に相当する。また、ステップＳ１０９が、「原稿サイズ設定工程」に相当する。
【００４５】
次に、図３と図４とを参照して、１ページ目の原稿Ｒの画像を読み取る処理について説明する。制御部５は、読込用ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）５ａ、コーデック用ＡＳＩＣ５ｂ、デコーデック用ＡＳＩＣ５ｃ、及び、画像処理用ＡＳＩＣ５ｄを備えている。
【００４６】
読込用ＡＳＩＣ５ａは、ＣＣＤ２９から画像データを読み取る。コーデック用ＡＳＩＣ５ｂは、画像データに符号化処理を施す。デコーデック用ＡＳＩＣ５ｃは、画像データに復号化処理を施す。画像処理用ＡＳＩＣ５ｄは、画像データに画像処理を施す。
【００４７】
画像読取部５１は、図４の処理Ａに示すように、読込用ＡＳＩＣ５ａを介して、１ページ目の原稿Ｒの画像データを読み込んで、ワークメモリー６１１に書き込み、コーデック用ＡＳＩＣ５ｂを介して、ページメモリー６２１に書き込む。図３に示すサイズ検出部５２は、ページメモリー６２１に書き込まれた画像データに基づき、原稿Ｒの用紙サイズを検出する。
【００４８】
画像処理部５４は、図４の処理Ｂに示すように、デコーデック用ＡＳＩＣ５ｃを介して、ページメモリー６２１から画像データを読み出して、ワークメモリー６１２に書き込む。そして、画像処理部５４は、画像処理用ＡＳＩＣ５ｄを介して、ワークメモリー６１２から画像データを読み出して、画像処理を施した後、画像データをワークメモリー６１３に書き込む。更に、画像処理部５４は、コーデック用ＡＳＩＣ５ｂを介して、ワークメモリー６１３から画像データを読み出して、ページメモリー６２２に書き込む。
【００４９】
ワークメモリー６１１は、２バンドの画像データを記憶する。なお、１バンドは、１２８ラインである。具体的には、読込用ＡＳＩＣ５ａは、１ページ目の原稿Ｒの画像データを１バンドずつ読み込んで、ワークメモリー６１１に書き込む。コーデック用ＡＳＩＣ５ｂは、ワークメモリー６１１から、画像データを１バンドずつ読み出し、ページメモリー６２１に書き込む。
【００５０】
ワークメモリー６１１は、ＦＩＦＯ（Ｆｉｒｓｔ  Ｉｎ  Ｆｉｒｓｔ  Ｏｕｔ）処理を行う。具体的には、ワークメモリー６１１は、入力側メモリー６１１ａと出力側メモリー６１１ｂとを備える。まず、コーデック用ＡＳＩＣ５ｂによって、１バンドの画像データがワークメモリー６１１の出力側メモリーから読み出される。次に、ワークメモリー６１１において、入力側メモリー６１１ａに格納された１バンドの画像データが出力側メモリー６１１ｂに書き込まれる。そして、読込用ＡＳＩＣ５ａによって、原稿Ｒの画像データが読み込まれて、入力側メモリー６１１ａに書き込まれる。上記処理が繰り返し行われる。ワークメモリー６１２、及び、ワークメモリー６１３は、ワークメモリー６１１と同様の動作を行う。
【００５１】
次に、図３と図５とを参照して、２ページ目以降の原稿Ｒの画像を読み取る処理について説明する。図５は、制御部５の２ページ目以降の原稿に対する動作を示す図である。なお、ワークメモリー６１４、ワークメモリー６１５は、図４に示すワークメモリー６１１と同様の動作を行う。
【００５２】
画像読取部５１は、図５に示すように、読込用ＡＳＩＣ５ａを介して、２ページ目以降の原稿Ｒの画像データを読み込んで、ワークメモリー６１４に書き込む。次に、画像処理部５４が、画像処理用ＡＳＩＣ５ｄを介して、ワークメモリー６１４から画像データを読み出して、画像処理を施した後、画像データをワークメモリー６１５に書き込む。更に、画像処理部５４は、コーデック用ＡＳＩＣ５ｂを介して、ワークメモリー６１５から画像データを読み出して、ページメモリー６２３に書き込む。
【００５３】
このようにして、２ページ目以降の原稿Ｒの画像を読み取る処理においては、ワークメモリー６１及びページメモリー６２を使用する頻度が少ないため、ワークメモリー６１及びページメモリー６２を他の用途に使用することができる。
【００５４】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の構成から実質的に逸脱しない範囲で種々の変更が可能である。
【００５５】
（１）本実施形態では、読込用ＡＳＩＣ５ａ、コーデック用ＡＳＩＣ５ｂ、デコーデック用ＡＳＩＣ５ｃ、及び、画像処理用ＡＳＩＣ５ｄを介して原稿に形成された画像を読み取る場合について説明したが、他の方法で原稿に形成された画像を読み取る形態でもよい。例えば、少なくとも１つのＡＳＩＣを介して原稿に形成された画像を読み取る形態でもよい。また、例えば、ＣＰＵが原稿に形成された画像を読み取る形態でもよい。
【００５６】
（２）本実施形態では、ワークメモリー６１及びページメモリー６２を介して原稿に形成された画像を読み取る場合について説明したが、他の方法で原稿に形成された画像を読み取る形態でもよい。例えば、ワークメモリー６１又はページメモリー６２を介して原稿に形成された画像を読み取る形態でもよい。また、ＲＡＭを介して原稿に形成された画像を読み取る形態でもよい。
【００５７】
（３）本実施形態では、ワークメモリー６１が２バンドの画像データを記憶する場合について説明したが、ワークメモリー６１が３バンド以上の画像データを記憶する形態でもよい。ワークメモリー６１が４バンドの画像データを記憶する場合には、各ＡＳＩＣは、２バンドずつワークメモリー６１から読み取り、及び、書込み処理をすることができるため、処理速度を向上することができる。
【産業上の利用可能性】
【００５８】
本発明は、画像読取装置、及び、画像読取方法に利用可能である。
【符号の説明】
【００５９】
１００    画像読取装置
１    画像形成ユニット
２    画像読取ユニット
３    原稿搬送ユニット
３１    原稿トレイ
３９    原稿排出トレイ
４    操作パネル
５    制御部
５１    画像読取部
５２    サイズ検出部
５３    原稿サイズ設定部
５４    画像処理部
５５    操作受付部
５ａ    読込用ＡＳＩＣ
５ｂ    コーデック用ＡＳＩＣ
５ｃ    デコーデック用ＡＳＩＣ
５ｄ    画像処理用ＡＳＩＣ
６    記憶部
６１    ワークメモリー
６１１、６１２、６１３、６１４、６１５    ワークメモリー
６２    ページメモリー
６２１、６２２、６２３    ページメモリー
【図１】
0006299645.tif 000002
【図２】
0006299645.tif 000003
【図３】
0006299645.tif 000004
【図４】
0006299645.tif 000005
【図５】
0006299645.tif 000006